(57)【要約】      （修正有）【課題】光熱費の削減及び効率の良い冷暖房運転をすることを図ったファン及び熱交換器コイル付太陽熱利用温水器を提供する。【解決手段】日除け，室外機吹き出し口から放出される熱風の熱及び太陽の放射熱を熱回収する為に、フィン２を複数枚並設させて、フィンを蛇行状に貫通縦断している伝熱管３で構成されている熱交換器コイル１の伝熱管の内部に熱媒体を通過するように、自然循環により、熱媒体は、太陽の放射熱及び室外機２４の吹き出し口２８から放出される熱風により、伝熱管内部の熱媒体も加熱され、循環させる循環経路の一部に形成された熱交換部１６を蓄熱槽１９内に導入して蓄熱槽内に温水を生成する。さらに、熱交換器コイルの天井面６に日除け及び太陽熱を集熱する集熱器７を設け、自然循環により、集熱器と熱交換部分２３との間で熱媒体を循環させることによって、蓄熱槽内に温水を生成する。温水を給湯，風呂及びプール等に使用する。【選択図】図１７
2012026685.tif 000002
【特許請求の範囲】
【請求項１】
太陽の放射熱を熱回収する為に、フィンを複数枚並設させて、該フィンの一番広い面を蛇行状に貫通縦断している伝熱管で構成されている熱交換器コイルの該伝熱管内部に熱媒体を通過するように、強制循環又は自然循環によって熱媒体を循環させる循環経路の一部に形成された熱交換部を冷水入り口及び温水出口を備えた蓄熱槽内に導入して、該熱交換器コイルと該熱交換部との間で熱媒体を循環させることによって、該蓄熱槽内に温水を生成し、かつ、該熱交換器コイルの天井に太陽熱を集熱する集熱器を設け、該集熱器を通過するように、強制循環又は自然循環によって熱媒体を循環さる循環経路の一部に形成された熱交換部分を該蓄熱槽内に導入し、該集熱器と該熱交換部分との間で熱媒体を循環させることによって、該蓄熱槽内に温水を生成し、該熱交換器コイル及び該集熱器は、上面が前方斜め上方へ向くように、水平面に対して、１５度から６０度傾斜させて設け、さらに、該熱交換器コイルのフィン及び伝熱管の全面にあたたかい外気を吹き付けるファンを設けて熱回収させたことを特徴とするファン及び熱交換器コイル付太陽熱利用温水器。
【請求項２】
太陽熱の集熱及び空気調和機の室外機の日除けの為に前記集熱器を、該室外機天井面上に、上面が前方斜め上方へ向くように、水平面に対して、１５度から６０度傾斜させて設け、該室外機の熱交換器のフィン及び冷媒配管に付着した霜を、前記蓄熱槽内の温水を該室外機の熱交換器のフィン及び冷媒配管全面に散水して、霜取り及び洗浄をするシャワーを設けて、効率の良い冷暖房運転することを特徴とする請求項1に記載のファン及び熱交換器コイル付太陽熱利用温水器。
【請求項３】
太陽の放射熱の熱回収，前記室外機の日除け及び前記空気調和機の冷房運転時、前記室外機の吹き出し口から放出される熱風の熱回収する為に、前記熱交換器コイルを、該吹き出し口前面に、上面が前方斜め上方へ向くように、水平面に対して、１５度から６０度傾斜させて設け、かつ、該空気調和機運転停止時に、傾斜して設けられている該熱交換器コイルのフィン及び伝熱管の全面にあたたかい外気を吹き付ける為に、該室外機の既存のファンを運転する為にファンモーターを単独に駆動する回路を設けたことを特徴とする請求項１又は２に記載のファン及び熱交換器コイル付太陽熱利用熱温水器。
【請求項４】
前記熱交換部を前期蓄熱槽内に導入前及び導入後の伝熱管の配管に、開閉操作ができる電磁弁又はバルブを設け、熱交換部内への熱媒体の流通を遮断することを特徴とする請求項３に記載のファン及び熱交換器コイル付太陽熱利用温水器。
【請求項５】
前記集熱器の側面は長方形であり、長方形の側面の最短辺の２辺の内の一辺、又は長方形の側面の４つの角の内の一つの角が最も下に来る様に斜めに立てた状態に支持して、長方形及び長方形の側面の最長辺の２辺は、該室外機の水平の天井面に対しての傾斜角度は、１５度から６０度であり、長方形の側面の最短辺が水平面に対しての傾斜角度は、３０度から７５度であることを特徴とする請求項４に記載のファン及び熱交換器コイル付太陽熱利用温水器。
【請求項６】
前記熱交換器コイルのフィンは長方形であり、長方形のフィンの最短辺の２辺の内の一辺、又は長方形のフィンの４つの角の内の一つの角が最も下に来る様に斜めに立てた状態に支持して、長方形のフィンの最長辺の２辺の内の一辺であるフィンの厚み側だけが該室外機前面の吹き出し口側カバーと対面し、水平面が長方形のフィン及び長方形のフィンの最長辺に対しての傾斜角度は、１５度から６０度であり、長方形のフィンの最短辺が水平面に対しての傾斜角度は、３０度から７５度であることを特徴とする請求項５に記載のファン及び熱交換器コイル付太陽熱利用温水器。
【請求項７】
水平のベース上に、前記室外機及び該室外機前面の吹き出し口側のカバーを垂直に配置し、該室外機の吹き出し口前面に前記熱交換器コイルを設け、該熱交換器コイルが該ベースに対しての傾斜角度は、１５度から６０度に該ベース上に配置することにより、該熱交換器コイルの長方形のフィンの最長辺が該吹き出し口側のカバーに対して、３０度から７５度であることを特徴とする請求項６に記載のファン及び熱交換器コイル付太陽熱利用温水器。
【請求項８】
前記室外機及び傾斜している前記熱交換器コイルを前記ベース上に設けて、前記吹き出し口から放出される熱風が、漏れずに該熱交換器コイルだけを通過する様に、該室外機，該熱交換器コイル及び該ベースの左右の側面を板で覆ったことを特徴とする請求項７に記載のファン及び熱交換器コイル付太陽熱利用温水器。
【請求項９】
前記室外機の天井面と前記集熱器裏面の間に、前記蓄熱槽を設け、前記熱交換器コイルの熱交換器部及び前記集熱器の熱交換器部分を該蓄熱槽内に導入し、該熱交換器コイルと該熱交換器部及び該集熱器と該熱交換器部分の間で熱媒体を自然循環させ、該蓄熱槽内に温水を生成し、かつ、該蓄熱槽の冷水入り口へ送水する為の往路配管に、開閉操作及び流量調整する給水バルブを設けたことを特徴とする請求項８に記載のファン及び熱交換器コイル付太陽熱利用温水器。
【請求項１０】
前記集熱器裏面に、前記蓄熱槽を接蝕して設け、前記室外機熱交換器のアルミニウムフィン及び冷媒配管の洗浄，霜取り，暖房運転及び冷房運転効率を上げる為、該室外機の熱交換器のアルミニウムフィン及び冷媒配管の全面に、前記蓄熱槽の冷水又は温水を前記シャワーにより散水する為に、該蓄熱槽と前記シャワーを接続する送水配管に電磁弁又はバルブを設け、かつ、該蓄熱槽の温水出口配管に電磁弁又はバルブを設けたことを特徴とする請求項９に記載のファン及び熱交換器コイル付太陽熱利用温水器。
【請求項１１】
前記室外機熱交換器のアルミニウムフィン及び冷媒配管の洗浄，霜取り，暖房運転及び冷房運転効率を上げる為、該室外機の熱交換器のアルミニウムフィン及び冷媒配管の全面に、浴槽内の風呂の残り湯又は冷めた風呂の残り湯を前記シャワーにより散水する為に、前記浴槽内の揚水ポンプを設け、かつ、該揚水ポンプから前記シャワーまで揚水配管を設け、該シャワーまでの揚水配管に電磁弁又はバルブを設けたことを特徴とする請求項１０に記載のファン及び熱交換器コイル付太陽熱利用温水器。
【請求項１２】
前記温水出口配管の電磁弁，送水配管の電磁弁及び揚水配管の電磁弁の開閉操作をする制御回路を設け、かつ、該蓄熱槽に温水温度センサーを設け、蓄熱槽１９内の温水温度に応じて、温水出口の電磁弁７７の開閉操作及び流量調整をする制御回路を設け、安定した温度の温水を、浴槽，給湯及びプールへ送水することを特徴とする請求項１１に記載のファン及び熱交換器コイル付太陽熱利用温水器。
【請求項１３】
前記室外機の吹き出し口前面の熱交換器コイルのフィン及び伝熱管を、黒色にしたことを特徴とする請求項１２に記載のファン及び熱交換器コイル付太陽熱利用温水器。
【発明の詳細な説明】
【技術分野】
【０００１】
本発明は、地球温暖化の原因となっている大気への熱負荷を軽減すると共に、光熱費の削減及び効率の良い冷暖房運転をすることを図ったファン及び熱交換器コイル付太陽熱利用温水器に関するものである。        
【背景技術】
【０００２】
従来の太陽熱利用温水器は、太陽熱以外の自然エネルギーを有効利用していなかった。
また、空気調和機は、室内に設置され、内部の熱交換器で冷媒と室内の空気との間で熱交換を行う室内機と、室内機と冷媒管を介して接続され、室内機で熱交換を行った冷媒と外気との熱交換を行う室外機とを備えている。そのような従来の空気調和機の室外機は、冷房運転において、冷媒と熱交換して温度上昇した空気を吹き出し口から放出させるようにしている。また、太陽の放射熱を遮るために、空気調和機の室外機天井面上に日除け屋根を設けていた。さらに、室外機の熱交換器のフィン及び冷媒配管の霜取り，洗浄する装置がありませんでした。
【０００３】
【特許文献１】特開１９９９−１５９８０９号公報
【発明の概要】
【発明が解決しようとする課題】
【０００４】
しかしながら、そのようにして室外機内から放出される熱風は、大気への熱負荷となって環境上の問題となるだけでなく、熱風が持っている熱エネルギーを利用せずに無駄に捨てていると共に、暖かい外気及び太陽の放射熱の自然エネルギーも有効利用できていなという問題点もあった。また、風呂の残り湯の熱エネルギー及び冷めた風呂の残り湯の冷却エネルギーも有効利用できていなかった。
さらに、室外機の熱交換器のアルミニウムフィン及び冷媒配管の冷却，霜取り及び洗浄する装置を設ける。
【０００５】
本発明は、そのような問題点に鑑み、次のことを目的とするものである。
（イ）狭い場所において、効率の良い熱交換器コイル及び太陽熱利用温水器を設置する。
（ロ）冷房運転において、室外機の吹き出し口から放出される熱風の熱エネルギー及び太陽の放射熱の熱エネルギーを有効利用すると共に、効率の良い冷房運転をする。
（ハ）暖房運転において、風呂の残り湯の熱エネルギーを有効利用して、霜取りし、効率の良い暖房運転をすると共に、室外機の熱交換器のフィン及び冷媒配管に付着したほこり等を洗浄する。                                                                
（二）冷房運転において、冷めた風呂の残り湯の冷却エネルギーを有効利用して、効率の良い冷房運転をすると共に、室外機の熱交換器のフィン及び冷媒配管を洗浄する。
（ホ）室外機に日除けを設けて、効率の良い冷房運転すると同時に、太陽の放射熱の熱エネルギーを有効利用する
（ヘ）熱交換器コイルにあたたかい外気を吹きつけて、自然の熱エネルギーを有効利用する。
【課題を解決するための手段】
【０００６】
前記課題を解決するため、本願請求項１にかかる発明は、太陽の放射熱を熱回収する為に、フィンを複数枚並設させて、該フィンの一番広い面を蛇行状に貫通縦断している伝熱管で構成されている熱交換器コイルの該伝熱管内部に熱媒体を通過するように、強制循環又は自然循環によって熱媒体を循環させる循環経路の一部に形成された熱交換部を冷水入り口及び温水出口を備えた蓄熱槽内に導入して、該熱交換器コイルと該熱交換部との間で熱媒体を循環させることによって、該蓄熱槽内に温水を生成し、かつ、該熱交換器コイルの天井に太陽熱を集熱する集熱器を設け、該集熱器を通過するように、強制循環又は自然循環によって熱媒体を循環さる循環経路の一部に形成された熱交換部分を該蓄熱槽内に導入し、該集熱器と該熱交換部分との間で熱媒体を循環させることによって、該蓄熱槽内に温水を生成し、該熱交換器コイル及び該集熱器は、上面が前方斜め上方へ向くように、水平面に対して、１５度から６０度傾斜させて設け、さらに、該熱交換器コイルのフィン及び伝熱管の全面にあたたかい外気を吹き付けるファンを設けて熱回収させたことを特徴とする。
【０００７】
また、本願の請求項２にかかる発明は、本願請求項１にかかる発明において、太陽熱の集熱及び空気調和機の室外機の日除けの為に前記集熱器を、該室外機天井面上に、上面が前方斜め上方へ向くように、水平面に対して、１５度から６０度傾斜させて設け、該室外機の熱交換器のフィン及び冷媒配管に付着した霜を、前記蓄熱槽内の温水を該室外機の熱交換器のフィン及び冷媒配管全面に散水して、霜取り及び洗浄をするシャワーを設けて、効率の良い冷暖房運転することを特徴とする。
【０００８】
また、本願の請求項３にかかる発明は、請求項1又は２にかかる発明において、太陽の放射熱の熱回収，前記室外機の日除け及び前記空気調和機の冷房運転時、前記室外機の吹き出し口から放出される熱風の熱回収する為に、前記熱交換器コイルを、該吹き出し口前面に、上面が前方斜め上方へ向くように、水平面に対して、１５度から６０度傾斜させて設け、かつ、該空気調和機運転停止時に、傾斜して設けられている該熱交換器コイルのフィン及び伝熱管の全面にあたたかい外気を吹き付ける為に、該室外機の既存のファンを運転する為にファンモーターを単独に駆動する回路を設けたことを特徴とする。
【０００９】
また、本願の請求項４にかかる発明は、請求項３にかかる発明において、前記熱交換部を前期蓄熱槽内に導入前及び導入後の伝熱管の配管に、開閉操作ができる電磁弁又はバルブを設け、熱交換部内への熱媒体の流通を遮断することを特徴とする。
【００１０】
また、本願の請求項５にかかる発明は、請求項４にかかる発明において、前記集熱器の側面は長方形であり、長方形の側面の最短辺の２辺の内の一辺、又は長方形の側面の４つの角の内の一つの角が最も下に来る様に斜めに立てた状態に支持して、長方形及び長方形の側面の最長辺の２辺は、該室外機の水平の天井面に対しての傾斜角度は、１５度から６０度であり、長方形の側面の最短辺が水平面に対しての傾斜角度は、３０度から７５度であることを特徴とする。
【００１１】
また、本願の請求項６にかかる発明は、請求項５にかかる発明において、前記熱交換器コイルのフィンは長方形であり、長方形のフィンの最短辺の２辺の内の一辺、又は長方形のフィンの４つの角の内の一つの角が最も下に来る様に斜めに立てた状態に支持して、長方形のフィンの最長辺の２辺の内の一辺であるフィンの厚み側だけが該室外機前面の吹き出し口側カバーと対面し、水平面が長方形のフィン及び長方形のフィンの最長辺に対しての傾斜角度は、１５度から６０度であり、長方形のフィンの最短辺が水平面に対しての傾斜角度は、３０度から７５度であることを特徴とする。
【００１２】
また、本願の請求項７にかかる発明は、請求項６にかかる発明において、水平のベース上に、前記室外機及び該室外機前面の吹き出し口側のカバーを垂直に配置し、該室外機の吹き出し口前面に前記熱交換器コイルを設け、該熱交換器コイルが該ベースに対しての傾斜角度は、１５度から６０度に該ベース上に配置することにより、該熱交換器コイルの長方形のフィンの最長辺が該吹き出し口側のカバーに対して、３０度から７５度であることを特徴とする。
【００１３】
また、本願の請求項８にかかる発明は、請求項７にかかる発明において、前記室外機及び傾斜している前記熱交換器コイルを前記ベース上に設けて、前記吹き出し口から放出される熱風が、漏れずに該熱交換器コイルだけを通過する様に、該室外機，該熱交換器コイル及び該ベースの左右の側面を板で覆ったことを特徴とする。
【００１４】
また、本願の請求項９にかかる発明は、請求項８にかかる発明において、前記室外機の天井面と前記集熱器裏面の間に、前記蓄熱槽を設け、前記熱交換器コイルの熱交換器部及び前記集熱器の熱交換器部分を該蓄熱槽内に導入し、該熱交換器コイルと該熱交換器部及び該集熱器と該熱交換器部分の間で熱媒体を自然循環させ、該蓄熱槽内に温水を生成し、かつ、該蓄熱槽の冷水入り口へ送水する為の往路配管に、開閉操作及び流量調整する給水バルブを設けたことを特徴とする。
【００１５】
また、本願の請求項１０にかかる発明は、請求項９にかかる発明において、前記集熱器裏面に、前記蓄熱槽を接蝕して設け、前記室外機熱交換器のアルミニウムフィン及び冷媒配管の洗浄，霜取り，暖房運転及び冷房運転効率を上げる為、該室外機の熱交換器のアルミニウムフィン及び冷媒配管の全面に、前記蓄熱槽の冷水又は温水を前記シャワーにより散水する為に、該蓄熱槽と前記シャワーを接続する送水配管に電磁弁又はバルブを設け、かつ、該蓄熱槽の温水出口配管に電磁弁又はバルブを設けたことを特徴とする。
【００１６】
また、本願の請求項１１にかかる発明においては、請求項１０にかかる発明において、前記室外機熱交換器のアルミニウムフィン及び冷媒配管の洗浄，霜取り，暖房運転及び冷房運転効率を上げる為、該室外機の熱交換器のアルミニウムフィン及び冷媒配管の全面に、浴槽内の風呂の残り湯又は冷めた風呂の残り湯を前記シャワーにより散水する為に、前記浴槽内の揚水ポンプを設け、かつ、該揚水ポンプから前記シャワーまで揚水配管を設け、該シャワーまでの揚水配管に電磁弁又はバルブを設けたことを特徴とする。
【００１７】
また、本願の請求項１２にかかる発明においては、請求項１１にかかる発明において、前記温水出口配管の電磁弁，送水配管の電磁弁及び揚水配管の電磁弁の開閉操作をする制御回路を設け、かつ、該蓄熱槽に温水温度センサーを設け、蓄熱槽１９内の温水温度に応じて、温水出口の電磁弁７７の開閉操作及び流量調整をする制御回路を設け、安定した温度の温水を、浴槽，給湯及びプールへ送水することを特徴とする。
【００１８】
また、本願の請求項１３にかかる発明においては、請求項１２にかかる発明において、前記室外機の吹き出し口前面の熱交換器コイルのフィン及び伝熱管を、黒色にしたことを特徴とする。                                                                                                                
【発明の効果】
【００１９】
本発明の空気調和機は、次のような効果を奏する。
すなわち、請求項１にかかる発明においては、太陽の放射熱を熱回収する為に、フィンを複数枚並設させて、フィンの一番広い面を蛇行状に貫通縦断している伝熱管で構成されている熱交換器コイルの該伝熱管内部に熱媒体を通過するように、強制循環又は自然循環によって熱媒体を循環させる循環経路の一部に形成された熱交換部を蓄熱槽内に導入して、熱交換器コイルと熱交換部との間で熱媒体を循環させることによって、蓄熱槽内に温水を生成し、温水を貯湯タンク，プール及び浴槽等へ有効利用でき、光熱費の削減になる。
また、熱交換器コイルの天井に太陽熱を集熱する集熱器を設け、集熱器を通過するように、強制循環又は自然循環によって熱媒体を循環さる循環経路の一部に形成された熱交換部分を蓄熱槽内に導入し、集熱器と該熱交換部分との間で熱媒体を循環させることによって、蓄熱槽内に温水を生成し、温水を給湯，貯湯タンク，プール及び浴槽等へ有効利用でき、光熱費の削減になる。
そして、熱交換器コイル及び集熱器は、上面が前方斜め上方へ向くように、水平面に対して１５度から６０度に傾斜させて設け、方位を南に取り付けることにより年間を通して太陽の放射熱を効果的に捕らえることができ設置するだけで、太陽熱利用温水器の効果がある。
さらに、熱交換器コイルのフィン及び伝熱管の全面に、あたたかい外気を吹き付けるファンを設けて熱回収させたことにより、外気温度近くまで伝熱管内部の熱媒体の温度を上昇させることができる。
【００２０】
請求項２にかかる発明においては、空気調和機の室外機天井面上に、集熱器を上面が前方斜め上方へ向くように、水平面に対して、１５度から６０度傾斜させて設け、室外機の日除けをし、空気調和機の冷房運転の効率を上げる効果がある。
また、集熱器を通過するように、強制循環又は自然循環によって熱媒体を循環さる循環経路の一部に形成された熱交換部分を蓄熱槽内に導入し、集熱器と熱交換部分との間で熱媒体を循環させることによって、蓄熱槽内に温水を生成し、温水を蓄熱槽，プール及び浴槽等へ有効利用でき、光熱費の削減になる。
さらに、室外機の熱交換器のアルミニウムフィン及び冷媒配管に付着した霜を、蓄熱槽内の温水を、シャワーにて、室外機の熱交換器のアルミニウムフィン及び冷媒配管全面に散水して、霜取り及び洗浄して、効率の良い冷暖房運転する。
【００２１】
請求項３にかかる発明においては、熱交換器コイルを、前記吹き出し口前面に、上面が前方斜め上方へ向くように、水平面に対して、１５度から６０度傾斜させて設け、太陽の放射熱を効果的に捕らえ、かつ、室外機の吹き出し口から放出される熱風の熱，外気の熱を熱交換器コイルの伝熱管内部を循環する熱媒体に効率よく熱回収させるようにした。その結果、冷房運転において、吹き出し口から放出される熱風は、熱媒体により冷却された熱交換器コイルの伝熱管及びフィンに接蝕することにより、熱風は冷却されてから大気中へ放出するので、大気への熱負荷は軽減する。
逆に、熱交換器コイルの伝熱管の内部の熱媒体は、吹き出し口から放出される熱風により加熱され、強制循環又は自然循環によって熱媒体を循環さる循環経路の一部に形成された熱交換部分を蓄熱槽内に導入し、熱交換器コイルと熱交換部との間で熱媒体によって、蓄熱槽内に温水を生成し、温水を給湯，プール及び浴槽等へ有効利用でき、光熱費の削減になる。
さらに、空気調和機運転停止時に、熱交換器コイルに外気を送風する為に、室外機の既存のファンを運転する為にファンモーターを単独に駆動する回路を設けたので、熱交換器コイルに、熱い外気を吹きつける。例として、２００７年８月１６日埼玉県熊谷市に於いて、気温４０．９度を記録しましたが、家庭の水道水温は、２６度前後です。室外機のファンモーターを単独に駆動する回路により、室外機吹き出し口前面の熱交換器コイルのフィン及び伝熱管全面に、熱い外気を吹き付けて、伝熱管内部の熱媒体を加熱して、給湯，プール及び浴槽等へ使用すれば、風呂の追い焚きの光熱費の削減及び大気への熱負荷の軽減となる。
熱交換器コイルの傾斜角度は、水平面に対して１５度から６０度になる。そして、該熱交換器コイルの設置の方位を南に取り付けることにより年間を通して太陽の放射熱を効果的に捕らえることができるので、熱交換器コイルを設置するだけで、太陽熱利用温水器の効果がある。
【００２２】
また、請求項４にかかる発明においては、熱交換部の蓄熱槽内に導入前及び導入後の伝熱管に、開閉操作ができる電磁弁又はバルブを設け、熱交換部内への熱媒体の流通を遮断により、空気調和機の暖房運転時において、吹き出し口前面に傾斜して設けられている熱交換器コイルの伝熱管の内部の冷媒体は、吹き出し口から放出される冷風により冷却される。冷却された熱媒体が、蓄熱槽内を循環しない様に、電磁弁又はバルブで遮断して、蓄熱槽内の温水の冷却を防止する効果がある。
【００２３】
また、請求項５，６及び７にかかる発明においては、請求項４にかかるファン及び熱交換器コイル付太陽熱利用温水器において、前記熱交換器コイルのフィンの形状は、長方形であり、長方形の傾斜角度は、水平面に対して１５度から６０度することにより、熱交換器コイルの傾斜角度も、水平面に対して１５度から６０度になり、効果的に太陽の放射熱を捕えると共に、室外機の日除けになる。
【００２４】
また、請求項８にかかる発明においては、請求項７にかかるファン及び熱交換器コイル付太陽熱利用温水器において、室外機及び傾斜している熱交換器コイルをベース上に設けて、吹き出し口から放出される熱風が、漏れずに熱交換器コイルだけを通過する様に、室外機，熱交換器コイル及びベースの左右の側面を板で覆って、吹き出し口から放出される熱風を効果的に捕らえることができる。
【００２５】
また、請求項９にかかる発明においては、請求項８にかかるファン及び熱交換器コイル付太陽熱利用温水器において、室外機の天井面と前記集熱器裏面の間に、蓄熱槽を設けたので、コンパクトになる。また、熱交換器コイルの熱交換器部及び集熱器の熱交換器部分と蓄熱槽の間で熱媒体を自然循環させ、蓄熱槽内に温水を生成している。さらに、蓄熱槽に、給水される冷水量を、給水バルブの操作により流量調整できる。
【００２６】
また、請求項１０にかかる発明においては、請求項９にかかるファン及び熱交換器コイル付太陽熱利用温水器において、集熱器裏面の全面に、密着して蓄熱槽を接蝕して設けたことにより、集熱器の熱を蓄熱槽への伝熱に、効果がある。また、暖房運転時には、蓄熱槽の温水をシャワーにより、室外機熱交換器のアルミニウムフィン及び冷媒配管の全面に散水して、加熱により暖房効率を上げると共に、洗浄効果，フィンの霜取り及び光熱費の削減になる。また、冷房運転時には、蓄熱槽の冷水をシャワーにより、室外機熱交換器のアルミニウムフィン及び冷媒配管の全面に散水して、冷却により冷房効率を上げると共に、洗浄効果及び光熱費の削減になる。
さらに、シャワーへの送水配管に電磁弁を設けたことにより、遠隔により電磁弁の開閉操作ができ、シャワーによる散水が手軽にできると共に、蓄熱槽の温水出口配管の電磁弁又はバルブを閉めることにより、蓄熱槽からシャワーだけに、一定量の勢いのある散水ができる。
【００２７】
また、請求項１１にかかる発明においては、請求項１０にかかるファン及び熱交換器コイル付太陽熱利用温水器において、暖房運転時には、浴槽の風呂の残り湯を揚水ポンプにて汲み上げて、シャワーにより、室外機熱交換器のアルミニウムフィン及び冷媒配管の全面に散水して、加熱により暖房効率を上げると共に、洗浄効果，フィンの霜取り及び光熱費の削減になる。また、冷房運転時には、浴槽の冷めた風呂の残り湯を揚水ポンプにて汲み上げて、シャワーにより、室外機熱交換器のアルミニウムフィン及び冷媒配管の全面に散水して、冷却により冷房効率を上げると共に、洗浄効果及び光熱費の削減になる。
風呂の残り湯の熱エネルギー及び風呂の冷めた残り湯の冷却エネルギーを有効利用する。
さらに、シャワーへの揚水配管に電磁弁を設けたことにより、遠隔により電磁弁の開閉操作ができ、シャワーによる散水が手軽にできる。
【００２８】
また、請求項１２にかかる発明においては、請求項１１にかかるファン及び熱交換器コイル付太陽熱利用温水器において、蓄熱槽の温水出口配管の電磁弁，蓄熱槽からシャワーまでの送水配管の電磁弁及び浴槽内の揚水ポンプからシャワーまでの揚水配管の電磁弁の開閉操作をする制御回路を設けたことにより、シャワーから一定量の勢いのある散水ができ、かつ、蓄熱槽に温水温度センサーを設け、蓄熱槽内の温水温度に応じて、温水出口の電磁弁７７の開閉操作及び流量調整をする制御回路を設け、定定した温度の温水を、浴槽，給湯及びプールへ送水することができる。
【００２９】
また、請求項１３にかかる発明においては、請求項１２にかかるファン及び熱交換器コイル付太陽熱利用温水器において、前記室外機の前面及び該室外機天井面上の熱交換器コイルのフィン及び伝熱管を、黒色にして、太陽の放射熱を効果的に、吸熱することができる。
【図面の簡単な説明】
【００３０】
【図１】熱交換器コイルの正面図
【図２】熱交換器コイルの斜視図
【図３】集熱器の正面図
【図４】太陽の放射熱を捕らえる熱交換器コイル及び集熱器の側面図
【図５】ファンの送風により暖かい外気を捕らえる熱交換器コイルの側面図
【図６】熱交換器コイル及び集熱器及びファンの斜視図
【図７】空気調和機の構成図
【図８】太陽の放射熱を捕らえる熱交換器コイル及び集熱器の側面図
【図９】室外機天井面上に集熱器７の右側面図
【図１０】室外機天井面上に集熱器７の左側面図
【図１１】室外機吹き出し口前面の熱交換器コイルの右側面図
【図１２】室外機吹き出し口前面の熱交換器コイルの左側面図
【図１３】室外機吹き出し口前面の熱交換器コイルの右側面に板の取り付け斜視図
【図１４】室外機吹き出し口前面の熱交換器コイルの左側面に板の取り付け斜視図
【図１５】本発明の空気調和機の室外機のファンモーター単独運転状態を示す断面図
【図１６】本発明の空気調和機の室外機の冷房運転状態を示す断面図
【図１７】室外機に設けた熱交換器コイル及び集熱器及びファンの使用説明図
【図１８】蓄熱槽の設置図
【図１９】シャワーにおいて風呂の残り湯の使用説明図
【図２０】シャワーの正面図
【図２１】シャワーの使用側面図
【図２２】シャワーの取り付け及び使用図
【発明を実施するための最良の形態】
【００３１】
以下、本発明の実施するための形態を図１〜図２２に基づいて説明する。
【実施例】
【００３２】
図１は、室外機吹き出し口前面の熱交換器コイルの正面図である。図２において、熱交換器コイル１は、太陽の放射熱及び空調機の室外機の吹き出し口から放出する熱風の熱回収する為に、縦方向に複数枚並設しているフィン２に、蛇行状に貫通縦断している伝熱管３と伝熱管３の内部に熱媒体を送水するための熱媒体入り口４及び熱媒体出口５とで構成されている。フィン２及び伝熱管3の材質は、銅，真鍮，アルミニウム及びステンレス等である。
【００３３】
図２は、熱交換器コイル１の斜視図である。図２において、太陽の放射熱を吸熱する為に、フィン２を縦方向に、面積の一番広い面を複数枚対面させて並設させて、長方形のフィン２の面積の一番広い面を蛇行状に伝熱管３が貫通縦断し、伝熱管３の内部に熱媒体を送水するための熱媒体入り口４及び熱媒体出口５を設けている。
【００３４】
図３は、熱交換器コイルの天井面上の集熱器の正面図である。図３において、熱交換器コイル１の天井面６上に集熱器７を設けて、熱媒体を循環するための熱媒体入り口８及び熱媒体出口９とで構成されている。
【００３５】
図４は、太陽の放射熱を捕らえる熱交換器コイル及び集熱器の側面図である。図４において、熱交換器コイル１が水平のベース１０に対しての傾斜角度Ａは、１５度から６０度であり、熱交換器天井面６に集熱器７を設け、集熱器７は、水平面１１に対しての傾斜角度Ｅは、１５度から６０度である。熱交換器コイル１及び集熱器７を傾斜させたことにより、熱交換器コイル１及び集熱器７は、矢印の太陽の放射熱を効果的に捕らえる。
【００３６】
図５は、暖かい外気を捕らえる熱交換器コイルの側面図である。図５において、傾斜している熱交換器コイル１のフィン及び伝熱管の全面に、ファン１２を運転して、矢印のあたたかい外気を吹き付けて、熱交換器コイル１の伝熱管内部の熱媒体の温度を外気温度近くまで上昇させる。そして、熱交換器コイル１の天井面６上の集熱器７は、矢印の太陽の放射熱を捕らえて、熱媒体の温度を上昇させる。
【００３７】
図６は、熱交換器コイル及び集熱器及びファンの斜視図である。図６において、太陽の放射熱を熱回収する為に、フィン２を複数枚並設させて、フィン２の一番広い面を蛇行状に貫通縦断している伝熱管３で構成されている熱交換器コイル１の伝熱管３の内部に熱媒体を通過するように、循環ポンプ１３により、熱媒体は、往管１４を通り、熱媒体入口４を通り、フィン２及び伝熱管３の全面に、ファン１２により暖かい外気を吹き付け、加熱したフィン２及び伝熱管３を通過し、熱媒体も加熱され、熱媒体出口５から還管１５を通り、循環させる循環経路の一部に形成された熱交換部１６を蓄熱槽１９内に導入して、熱交換器コイル１と熱交換部１６との間で熱媒体を循環させることによって、蓄熱槽１９内に温水を生成する。さらに、熱交換器コイル１の天井面６に太陽熱を集熱する集熱器７を設け、集熱器７を通過するように、循環ポンプ２０によって、熱媒体は、往管２１を通り、集熱器７の熱媒体入口８を通り、太陽の放射熱により、加熱した集熱器７を通過し、熱媒体は、加熱され、集熱器７の熱媒体出口９から還管２２を通り、循環させる循環経路の一部に形成された熱交換部分２３を蓄熱槽１９内に導入して、集熱器７と熱交換部分２３との間で熱媒体を循環させることによって、蓄熱槽１９内に温水を生成する。
そして、蓄熱槽１９の冷水入り口１７から送水される冷水を加熱して温水にして、温水出口１８から、給湯，風呂及びプール等に使用して、光熱費の削減になる。
【００３８】
図７は、空気調和機の構成図である。図７において、本発明の空気調和機は、従来と同様に室外機２４，室内機２５，冷媒配管２６，信号線２７にて構成されている。
【００３９】
図８は、太陽の放射熱を捕らえる熱交換器コイル及び集熱器の側面図である。図８において、熱交換器コイル１は、室外機２４の吹き出し口２８前面に、上面が前方斜め上方へ向くように、水平のベース２９に対しての傾斜角度Ａは、１５度から６０度であり、室外機天井面３０上の集熱器７は、上面が前方斜め上方へ向くように、水平の室外機天井面３０に対しての傾斜角度Ｅは、１５度から６０度である。熱交換器コイル１及び集熱器７を傾斜させたことにより、室外機２４への矢印の太陽の放射熱を遮断して日除けをすると同時に、熱交換器コイル１及び集熱器７は、矢印の太陽の放射熱を効果的に捕らえる。
【００４０】
図９は、室外機天井面上に集熱器７の右側面図ある。図９において、水平のベース２９上に、室外機２４を、角度Ｃである垂直に配置し、室外機天井面３０上の集熱器７の側面の最長辺３１と対辺の最長辺３２により長方形３３を形成する。長方形３３の最短辺の２辺の内の一辺の最短辺３４又は長方形３３の４つの角の内の１つの角Ｈが最も下に来る様に斜めに立てた状態に支持して、集熱器７，長方形３３及び最長辺３１が水平の室外機天井面３０に対しての傾斜角度Ｅは、１５度から６０度であり、集熱器７の長方形３３の最短辺３４が水平面１１に対しての傾斜角度Ｆは、３０度から７５度である。
また、最長辺３１と対辺の最長辺３２は、平行であり、最短辺３４と対辺の最短辺３５も平行である。
【００４１】
図１０は、室外機天井面上に集熱器７の左側面図ある。図１０において、室外機天井面３０上の集熱器７の側面の最長辺３６と対辺の最長辺３７により長方形３８を形成する。長方形３８の最短辺の２辺の内の一辺の最短辺３９又は長方形３８の４つの角の内の１つの角Ｈが最も下に来る様に斜めに立てた状態に支持して、集熱器７，長方形３８及び最長辺３６が水平の室外機天井面３０に対しての傾斜角度Ｅは、１５度から６０度であり、集熱器７の長方形３８の最短辺３９が水平面１１に対しての傾斜角度Ｆは、３０度から７５度である。
また、最長辺３６と対辺の最長辺３７は、平行であり、最短辺３９と対辺の最短辺４０も平行である。
【００４２】
図１１は、熱交換器コイルの右側面図である。図９において、熱交換器コイル１のフィン２の側面の最長辺４１と対辺の最長辺４２により長方形４３を形成する。長方形４３の最短辺の２辺の内の一辺の最短辺４４又は長方形４３の４つの角の内の１つの角Ｇが最も下に来る様に斜めに立てた状態に支持して、熱交換器コイル，長方形４３及び最長辺４１が水平のベース２９に対しての傾斜角度Ａは、１５度から６０度であり、最短辺４４が水平のベース２９に対しての傾斜角度Ｄは、３０度から７５度であり、熱交換器コイル１の天井面６上に、集熱器７を設けている。
また、最長辺４１と対辺の最長辺４２は、平行であり、最短辺４４と対辺の最短辺４５も平行である。
さらに、水平のベース上に、室外機２４及び室外機２４の前面の吹き出し口側のカバー４６を、角度Ｃである垂直に配置し、室外機２４の吹き出し口２８前面に熱交換器コイル１を傾斜させて設け、熱交換器コイル１，長方形４３及び最長辺４１が吹き出し口側のカバー４６に対しての角度Ｂは、３０度から７５度であり、吹き出し口側のカバー４６に対して、長方形４３の最長辺４１であるフィン２の厚み側だけが対面する。尚、フィン２の厚みは、０．１ｍｍから０．５ｍｍ程度であり、長方形フィン２の大きさは、最短辺４４及び４５の長さは約２０ｍｍから５０ｍｍ程度で、フィン２の材質は、銅，アルミニウム及びステンレス等である。
【００４３】
図１２は、熱交換器コイルの左側面図である。図１２において、熱交換器コイル１のフィン２の側面の最長辺４７と対辺の最長辺４８により長方形４９を形成する。長方形４９の最短辺の２辺の内の一辺の最短辺５０又は長方形４９の４つの角の内の１つの角Ｇが最も下に来る様に斜めに立てた状態に支持して、熱交換器コイル１，長方形４９及び最長辺４７が水平のベース２９に対しての傾斜角度Ａは、１５度から６０度であり、最短辺５０が水平のベース２９に対しての傾斜角度Ｄは、３０度から７５度であり、熱交換器コイル１の天井面６上に、集熱器７を設けている。
また、最長辺４７と対辺の最長辺４８は、平行であり、最短辺５０と対辺の最短辺５１も平行である。
さらに、水平のベース上に、室外機２４及び吹き出し口側のカバー４６を、角度Ｃである垂直に配置し、室外機２４の吹き出し口２８前面に熱交換器コイル１を傾斜させて設けることにより、吹き出し口カバー４６が、熱交換器コイル１，長方形４９及び最長辺４７に対しての角度Ｂは、３０度から７５度であり、吹き出し口側のカバー４６に対して、長方形４９の最長辺４７であるフィン２の厚み側だけが対面する。
【００４４】
図１３は、本発明の室外機吹き出し口前面の熱交換器コイルの右側面に板の取り付け斜視図である。図１３において、室外機２４及び傾斜している熱交換器コイル１をベース２９の上に設けて、吹き出し口１７から放出される熱風が、漏れずに熱交換器コイル１だけを通過する様に、室外機２４，熱交換器コイル１及びベース２９の右の側面を三角形の板５２で覆っている。
【００４５】
図１４は、本発明の室外機吹き出し口前面の熱交換器コイルの左側面に板の取り付け斜視図である。図１４において、室外機１及び傾斜している熱交換器コイル５をベース２９の上に設けて、吹き出し口１７から放出される熱風が、漏れずに熱交換器コイル１だけを通過する様に、室外機２４，熱交換器コイル１及びベース２９の左の側面を三角形の板５２で覆っている。
【００４６】
図１５は、本発明の空気調和機の室外機のファンモーター単独運転状態を示す断面図である。図１５において、例として、２００７年８月１６日埼玉県熊谷市に於いて、気温４０．９度を記録しましたが、家庭の水道水温は、２６度前後です。空気調和機運転停止時に、室外機２４のファンモーター５３を単独に駆動する回路により、ファン５４を回転させて、あたたかい外気を矢印の方向に送風して、吹き出し口２８の前面の熱交換器コイル１のフィン及び伝熱管にあたたかい外気を吹きつけて、伝熱管内部の熱媒体を加熱して、熱媒体を蓄熱槽内の水を加熱して、加熱後の水を例えば、貯湯タンク，プール及び浴槽等へ使用すれば、風呂の追い焚きの光熱費の削減及び大気への熱負荷の軽減となる。
【００４７】
図１６は、本発明の空気調和機の室外機の冷房運転状態を示す断面図である。図１６において、室外機２４は、冷房運転に於いてファンモーター５３が駆動して、ファン５４の回転により、外気は矢印の方向へ進む。外気は、室外機２４内に吸い込まれ室外機熱交換器７０を通過することにより加熱され、熱風となって吹き出し口２８から、放出される熱風は、水平のベース２９に対して傾斜角度Ａの１５度から６０度の熱交換器コイル１で捕らえて、熱交換器コイル１の伝熱管内部の熱媒体を加熱する。逆に、熱風は、伝熱管内部の熱媒体により、冷却されてから、大気中へ放出するので、ヒートアイランド防止になる。                    また、温まった熱媒体は、蓄熱槽内の水を加熱して、加熱後の水を貯湯タンク，風呂及びプール等へ有効利用して、光熱費の削減及び大気への熱負荷を軽減する。
【００４８】
図１７は、室外機に設けた熱交換器コイル及び集熱器及びファンの使用説明図である。図１７において、日除け，室外機吹き出し口から放出される熱風の熱及び太陽の放射熱を熱回収する為に、フィン２を複数枚並設させて、フィン２の一番広い面を蛇行状に貫通縦断している伝熱管３で構成されている熱交換器コイル１の伝熱管３の内部に熱媒体を通過するように、自然循環により、熱媒体は、往管５５を通り、熱交換器コイル１の下部の熱媒体入口４を通り、フィン２及び伝熱管３の全面で、太陽の放射熱及び室外機２４の吹き出し口２８から放出される熱風により、加熱したフィン２及び伝熱管３を通過し、熱媒体も加熱され、熱交換器コイル１の上部の熱媒体出口５から還管５６を通り、循環させる循環経路の一部に形成された熱交換部１６を蓄熱槽１９内に導入して、熱交換器コイル１と熱交換部１６との間で熱媒体を循環させることによって、蓄熱槽１９内に温水を生成する。      さらに、熱交換器コイル１の天井面６に太陽熱を集熱する集熱器７を設け、集熱器７を通過するように、自然循環によって、熱媒体は、往管５７を通り、集熱器７の熱媒体入口８を通り、太陽の放射熱により、加熱した集熱器７を通過し、熱媒体も加熱され、集熱器７の熱媒体出口９から還管５８を通り、循環させる循環経路の一部に形成された熱交換部分２３を蓄熱槽１９内に導入して、集熱器７と熱交換部分２３との間で熱媒体を循環させることによって、蓄熱槽１９内に温水を生成する。
そして、冷水を送水する為、開閉操作及び流量調整する給水バルブ７４を開き、冷水は往路配管７５通り、冷水入り口１７から蓄熱槽１９へ送水される。蓄熱槽１９内にて、冷水を加熱して温水にして、温水出口１８から、温水を給湯，風呂及びプール等に使用して、光熱費の削減になる。
また、熱交換部１６を蓄熱槽１９内に導入前の伝熱管配管５９及び導入後の伝熱管配管６０に、開閉操作ができる電磁弁６１又はバルブ６２を設け、空気調和機の暖房運転時において、吹き出し口前面に傾斜して設けられている熱交換器コイル１の伝熱管３の内部の冷媒体は、吹き出し口から放出される冷風により冷却される。冷却された熱媒体が、蓄熱槽１９内を循環しない様に、電磁弁６１又はバルブ６２で遮断して、蓄熱槽１９内の温水の冷却を防止する。
【００４９】
図１８は、蓄熱槽の設置図である。図１８において、室外機天井面３０と集熱器７の裏面の間に蓄熱槽１を設け、蓄熱槽１９は、集熱器７の裏面に、密着させて設けることにより、集熱器７の熱を蓄熱槽１９へ伝熱させる効果がある。
【００５０】
図１９は、シャワーにおいて風呂の残り湯の使用説明図である。図１９において、暖房運転時には、浴槽６３の風呂の残り湯を揚水ポンプ６４にて汲み上げて、揚水配管６５を通り、開いている電磁弁６６を通り、蓄熱槽１９の手前の送水配管６７に設けている電磁弁６８は閉まっているので、蓄熱槽１９へは風呂の残り湯は送水されず、シャワー６９だけに送水され、シャワー６９にて散水される。また、蓄熱槽１９からシャワー６９へ送水する際は、蓄熱槽１９から送水配管６７を通り、開いている電磁弁６８を通り、電磁弁６６及び温水出口配管７６の電磁弁７７は閉じているので、シャワー６９だけに送水され、シャワー６９にて散水される。シャワー６９から、室外機熱交換器７０のアルミニウムフィン７１及び冷媒配管７２の全面に蓄熱槽１９の冷水又は風呂の冷めた残り湯を散水により、冷却により冷房効果を上げる共に、洗浄効果及び光熱費の削減になる。また、蓄熱槽１９の温水又は風呂の残り湯を散水により、加熱により暖房効率を上げて、洗浄，フィンの霜取り及び光熱費の削減になる。
さらに、電磁弁６８が開いている時は、電磁弁６６及び電磁弁７７を閉める、インターロック制御を備えると共に、蓄熱槽１９に温水温度センサーＴＨを設け、蓄熱槽１９内の温水温度により、温水出口配管７６の電磁弁７７の開閉操作及び流量調整をする制御回路を設け、安定した温度の温水を、浴槽，給湯及びプールへ提供する。
【００５１】
図２０は、シャワー正面図である。図２０において、シャワー６９は、縦横に複数の穴７３があいていて、室外機の熱交換器のアルミニウムフィン及び冷媒配管全面に散水できる構造になっている。
【００５２】
図２１は、シャワーの使用側面図である。図２１において、シャワー６９は、室外機熱交換器７０の上部に設けて、室外機熱交換器７０のアルミニウムフィン及び冷媒配管全面に散水する。蓄熱槽１９から冷水又は温水をシャワー６９により、散水する際は、温水出口配管７６に設けられている電磁弁７７は、閉じている。
【００５３】
図２２は、シャワーの取り付け及び使用図である。図２２において、シャワー６９は、室外機熱交換器７０のアルミニウムフィン７１の最上部に横設して室外機天井面３０と平行に横に設けて、直方体のシャワー６９に穴７３がアルミニウムフィン７１に対面して設けている。そして、冷房運転時において、アルミニウムフィン７１及び冷媒配管７２に、冷めた風呂の残り湯を矢印の方向に、散水することによりアルミニウムフィン７１及び冷媒配管７２を冷却して、冷房効率をあげる。また、暖房運転時においては、風呂の残り湯を矢印の方向に散水することによりアルミニウムフィン７１及び冷媒配管７２を加熱して、暖房効率を上げると共に、アルミニウムフィン７１及び冷媒配管７２に付着した霜取り及び洗浄の効果がある。
【符号の説明】
【００５４】
１  熱交換器コイル
２  フィン
３  伝熱管
４  熱媒体入口
５  熱媒体出口
６  熱交換器コイル天井面
７  集熱器                                                        
８  熱媒体入口
９  熱媒体出口
１０  水平のベース
１１  水平面
１２  ファン
１３  循環ポンプ
１４  往管
１５  還管
１６  熱交換部
１７  冷水入り口
１８  温水出口
１９  蓄熱槽
２０  循環ポンプ
２１  往管
２２  還管
２３  熱交換部分
２４  室外機
２５  室内機
２６  冷媒配管
２７  信号線
２８  吹き出し口
２９  ベース
３０  室外機天井面
３１  最長辺
３２  最長辺
３３  長方形
３４  最短辺
３５  最短辺
３６  最長辺
３７  最長辺
３８  長方形
３９  最短辺
４０  最短辺
４１  最長辺
４２  最長辺
４３  長方形  
４４  最短辺
４５  最短辺
４６  吹き出し口カバー
４７  最長辺
４８  最長辺
４９  長方形
５０  最短辺
５１  最短辺
５２  板
５３  ファンモーター
５４  ファン
５５  往管
５６  還管
５７  往管
５８  還管
５９  伝熱配管
６０  伝熱配管
６１  バルブ
６２  電磁弁
６３  浴槽
６４  揚水ポンプ
６５  揚水配管
６６  電磁弁
６７  送水配管
６８  電磁弁
６９  シャワー
７０  室外機熱交換器
７１  アルミニウムフィン
７２  冷媒配管
７３  穴
７４  給水バルブ
７５  往路配管
７６  温水出口配管
７７  電磁弁
Ａ  水平のベースが熱交換器コイル又は長方形フィンの最長辺に対する角度
Ｂ  室外機前面の吹き出し口側カバーが熱交換器コイルの長方形のフィンの最長辺に対する角度
Ｃ  水平のベース面上に室外機を設置する角度
Ｄ  水平のベース面が長方形フィンの最短辺に対する角度
Ｅ  集熱器側面の長方形及び長方形の最長辺が、水平の室外機天井面に対する角度
Ｆ  集熱器側面の長方形の最短辺が水平面に対する角度
Ｇ  熱交換器コイルの長方形のフィンの４つの角の内の一つの角が最も下に来る角
Ｈ  集熱器の側面の長方形の４つの角の内の一つの角が最も下に来る角
ＴＨ  温水温度センサー
【図１】
2012026685.tif 000003
【図２】
2012026685.tif 000004
【図３】
2012026685.tif 000005
【図４】
2012026685.tif 000006
【図５】
2012026685.tif 000007
【図６】
2012026685.tif 000008
【図７】
2012026685.tif 000009
【図８】
2012026685.tif 000010
【図９】
2012026685.tif 000011
【図１０】
2012026685.tif 000012
【図１１】
2012026685.tif 000013
【図１２】
2012026685.tif 000014
【図１３】
2012026685.tif 000015
【図１４】
2012026685.tif 000016
【図１５】
2012026685.tif 000017
【図１６】
2012026685.tif 000018
【図１７】
2012026685.tif 000019
【図１８】
2012026685.tif 000020
【図１９】
2012026685.tif 000021
【図２０】
2012026685.tif 000022
【図２１】
2012026685.tif 000023
【図２２】
2012026685.tif 000024